(57)【特許請求の範囲】
【請求項１】
非線形の入出力特性を有し、入力される光信号の再生を行う光非線形素子と、
上記光非線形素子により再生された光信号を光電変換し、得られる電気信号から特定の周波数成分のパワーを検出するパワー検出器と、
上記パワー検出器による検出結果に応じて、上記光非線形素子に入力される光信号を増幅又は減衰する可変増幅器とを備えることを特徴とする光伝送システム。
【請求項２】
上記パワー検出器は、
上記光非線形素子により再生された光信号を電気信号に変換する光検出器と、
上記光検出器により得られた電気信号から上記特定の周波数成分を取り出すフィルタと、
上記フィルタにより取り出した上記特定の周波数成分のパワーを測定するパワー測定器とを備えることを特徴とする請求項１記載の光伝送システム。
【請求項３】
上記パワー検出器は、上記入力される光信号のビットレート周波数成分のパワーを検出することを特徴とする請求項１記載の光伝送システム。
【請求項４】
上記パワー検出器は、
上記光非線形素子により再生された光信号を電気信号に変換する光検出器と、
上記光検出器により得られた電気信号から上記ビットレート周波数成分を取り出す帯域通過フィルタと、
上記帯域通過フィルタにより取り出した上記ビットレート周波数成分のパワーを測定するパワー測定器とを備えることを特徴とする請求項３記載の光伝送システム。
【請求項５】
上記パワー検出器による検出結果に基づいて、上記ビットレート周波数成分のパワーが極小となるように上記可変増幅器を制御する制御回路をさらに備えることを特徴とする請求項３記載の光伝送システム。
【請求項６】
上記制御回路は、上記可変増幅器の利得を周期的に微小範囲で増減させ、上記利得の微小変化に伴う上記ビットレート周波数成分のパワーの変化に応じて上記可変増幅器の利得制御を行うことを特徴とする請求項５記載の光伝送システム。
【請求項７】
上記利得の微小変化に伴って、上記ビットレート周波数成分のパワーが同相で変化する場合には上記可変増幅器の利得を増大させ、上記ビットレート周波数成分のパワーが逆相で変化する場合には上記可変増幅器の利得を減少させることを特徴とする請求項６記載の光伝送システム。
【請求項８】
上記パワー検出器は、上記入力される光信号のビットレートに対応するビットレート周波数成分のパワー及び直流成分のパワーを検出することを特徴とする請求項１記載の光伝送システム。
【請求項９】
上記パワー検出器は、
上記光非線形素子により再生された光信号を電気信号に変換する光検出器と、
上記光検出器により得られた電気信号から上記ビットレート周波数成分を取り出す帯域通過フィルタと、
上記光検出器により得られた電気信号から上記直流成分を取り出す低域通過フィルタと、
上記帯域通過フィルタ及び低域通過フィルタにより取り出した上記ビットレート周波数成分のパワー及び直流成分のパワーをそれぞれ測定するパワー測定器とを備えることを特徴とする請求項８記載の光伝送システム。
【請求項１０】
上記パワー検出器による検出結果に基づいて、上記ビットレート周波数成分のパワーと上記直流成分のパワーとの比を一定値に保持させるように上記可変増幅器を制御する制御回路をさらに備えることを特徴とする請求項８記載の光伝送システム。
【発明の詳細な説明】
【技術分野】
【０００１】
本発明は、光伝送システムに関し、特に、光通信における再生中継装置に用いて好適なものである。
【背景技術】
【０００２】
光通信においては、増幅器のノイズや伝送中の波形歪による光信号の劣化を抑制するために再生中継装置が用いられる。図７に示すような非線形の入出力特性を有する光非線形素子を再生中継装置に用いると、伝送に伴う波形劣化による光信号の“０”レベル及び“１”レベルの揺らぎ（雑音）を圧縮することができる。このような入力パワーと出力パワーの関係が非線形な光非線形素子については、例えば、特許文献１及び特許文献２など多数示されている。
【０００３】
光非線形素子を用いて光信号の波形整形を行う場合、図８に示すように光非線形素子の入出力曲線上のある特定の入力パワー（例えば入力パワーＩＰ２）を持つ入力信号であれば、適切に再生が行われ良好な波形の出力信号ＷＶＯ２が得られる。しかし、その特定の入力パワーから入力信号のパワーがずれると、適切に再生が行われずに波形の改善を図ることができないことがある。
【０００４】
図８に示すように入力信号のパワーが低すぎると（例えば入力パワーＩＰ１）、光非線形素子により光信号における“０”レベルの雑音は圧縮されるが、“１”レベルの雑音は強調される（出力信号ＷＶＯ１参照）。一方、入力信号のパワーが高すぎると（例えば入力パワーＩＰ３）、光非線形素子により光信号における“１”レベルの雑音は圧縮されるが、“０”レベルの雑音は強調される（出力信号ＷＶＯ３参照）。
【０００５】
光非線形素子を用いた再生中継装置において、良好な波形の出力信号を得ることができる条件（光非線形素子への入力パワー）は、入力信号及び光非線形素子の入出力特性に応じて決定される。その条件を決定する際には、入力信号又は出力信号のアイパターンにおけるクロスポイントを認識する必要がある。ここで、特許文献３及び特許文献４等には、光信号の評価手法が提案されている。
【０００６】
【特許文献１】特開２００１−２２２０３７号公報
【特許文献２】特開２００２−４４０２０号公報
【特許文献３】特開２００４−１７３０２６号公報
【特許文献４】特許第３４５９２１３号公報
【発明の開示】
【発明が解決しようとする課題】
【０００７】
しかしながら、入力信号又は出力信号におけるクロスポイントを直接的に測定して光非線形素子への入力パワーを決定することは容易ではない。また、光非線形素子へ入力される入力信号はさまざまである。したがって、直接的にクロスポイントを測定して光非線形素子への入力パワーを良好な出力波形が得られる特定の値に制御するという方法では、様々な入力信号に対応することは困難である。
【０００８】
本発明の目的は、入力される任意の光信号に対して、光非線形素子への入力パワーを良好な出力波形が得られる値に容易に設定できるようにすることである。
【課題を解決するための手段】
【０００９】
本発明の光伝送システムは、非線形の入出力特性を有する光非線形素子と、光非線形素子で再生された光信号に係る特定の周波数成分のパワーを検出するパワー検出器と、光非線形素子に入力される光信号を増幅又は減衰する可変増幅器とを備え、パワー検出器での検出結果に応じて可変増幅器の利得を制御する。
【００１０】
本発明によれば、光非線形素子で再生された光信号を変換して得られる電気信号から特定の周波数成分のパワーを検出することにより出力信号波形の評価を行う。その結果に基づいて可変増幅器の利得を適宜増大又は減少させて、光非線形素子に入力される光信号の入力パワーを制御することで、光非線形素子への入力パワーを良好な出力波形が得られるように容易に設定することができる。
【発明の効果】
【００１１】
本発明によれば、光非線形素子で再生された光信号を変換して得られた電気信号から特定の周波数成分のパワーを検出することにより出力信号波形の評価を行い、その結果に基づいて可変増幅器の利得を制御する。これにより、出力信号波形の評価結果に応じて、光非線形素子に入力される光信号の入力パワーを良好な出力波形が得られるように容易に設定することができる。したがって、小型かつ低コスト化が容易な方法で、入力される任意の光信号に対して良好な信号再生を行える光伝送システムを提供することができる。
【発明を実施するための最良の形態】
【００１２】
以下、本発明の実施形態を図面に基づいて説明する。
【００１３】
（第１の実施形態）
図１は、本発明の第１の実施形態による光伝送システムを適用した再生中継装置の構成例を示すブロック図である。図１に示す第１の実施形態における再生中継装置は、１ビット相当の周期中において信号レベルが遷移しない変調形式、例えばＮＲＺ（Non Return to Zero）形式の光信号に対応する再生中継装置である。
【００１４】
第１の実施形態における再生中継装置は、図１に示すように可変増幅器（可変減衰器）１０、光非線形素子２０、光検出器（ＰＤ）３０、帯域通過フィルタ（ＢＰＦ：バンドパスフィルタ）４０、パワーモニタ５０、及び制御回路６０を有する。第１の実施形態における再生中継装置は、入力信号として光信号ＳＩＮが入力され、その再生を行い波形整形した光信号ＳＯＵＴを出力信号として出力する。
【００１５】
可変増幅器（可変減衰器）１０は、入力される光信号ＳＩＮを増幅又は減衰して光非線形素子２０に出力する。すなわち、可変増幅器（可変減衰器）１０は、光非線形素子２０へ入力される光信号のパワー（光非線形素子２０への入力パワー）を制御する。可変増幅器（可変減衰器）１０の利得は、制御回路６０により制御される。
【００１６】
光非線形素子２０は、図２に示すような非線形の入出力特性を有する素子であり、可変増幅器（可変減衰器）１０からの光信号を波形整形して光信号ＳＯＵＴを出力する。図２は、光非線形素子２０の入出力特性を示す図であり、横軸は入力パワー、縦軸は出力パワーである。つまり、光非線形素子２０は、入力パワーと出力パワーの関係が非線形であり、入力パワーに対して出力パワーが非線形に変化する。この非線形の入出力特性を有する光非線形素子２０により、光信号における“０”レベル及び“１”レベルの揺らぎ（雑音）を圧縮することができる。
【００１７】
光検出器３０は、光電変換を行うものであり、光非線形素子２０から出力された波形整形（再生）後の光信号ＳＯＵＴを電気信号ＳＯＵＴＡに変換する。帯域通過フィルタ４０は、光検出器３０での変換により得られた電気信号ＳＯＵＴＡから入力信号のビットレートに相当するビットレート周波数成分Ｓｂｒを取り出す。言い換えれば、帯域通過フィルタ４０は、光検出器３０からの電気信号中のビットレート周波数成分Ｓｂｒのみを通過させる。パワーモニタ５０は、帯域通過フィルタ４０により取り出されたビットレート周波数成分Ｓｂｒ、すなわち帯域通過フィルタ４０を通過してきた信号のパワーＰｂｒを測定する。
【００１８】
上述した光検出器３０、帯域通過フィルタ４０、及びパワーモニタ５０は、本発明のパワー検出器を構成する。このパワー検出器により、光非線形素子２０から出力された光信号ＳＯＵＴを光電変換して得られる電気信号中のビットレート周波数成分パワーＰｂｒを測定することができる。
【００１９】
制御回路６０は、上述したようにして光検出器３０、帯域通過フィルタ４０、及びパワーモニタ５０により検出されたビットレート周波数成分パワーＰｂｒに基づいて、可変増幅器（可変減衰器）１０の利得制御を行う。
【００２０】
ここで、ビットレート周波数成分パワーＰｂｒは、出力される光信号ＳＯＵＴにおけるクロスポイント位置に応じて変化する性質を有している。図３に一例を示すようにクロスポイントが５０％の位置にある場合に、ビットレート周波数成分パワーＰｂｒが極小となる。
【００２１】
図３は、光非線形素子の出力波形（再生後の波形）及び光電変換後の電気スペクトルを示す図である。図３から明らかなように、再生後の波形を光電変換して得られる電気スペクトルにおいて、ビットレート（キャリア周波数）である１０ＧＨｚに対応する周波数成分は、アイパターンのクロスポイントが５０％の位置にある再生後の波形のものが最小となり（図３中の３０１参照）、他の再生後の波形ではそれよりも大きい。
【００２２】
したがって、出力される光信号ＳＯＵＴのクロスポイントが５０％の位置になる場合を最良の出力波形であるとすると、出力される光信号ＳＯＵＴを基に得られるビットレート周波数成分パワーＰｂｒが最小となるように可変増幅器（可変減衰器）１０の利得を制御すれば良好な出力波形を得ることができる。
【００２３】
また、可変増幅器（可変減衰器）１０の利得とビットレート周波数成分のパワーＰｂｒとは、図４Ａに示す関係を有する。図４Ａにおいて、横軸は可変増幅器（可変減衰器）１０の利得、縦軸はビットレート周波数成分のパワーＰｂｒであり、利得ＧＡはビットレート周波数成分のパワーＰｂｒが最小となる利得値である。
【００２４】
本実施形態における制御回路６０は、ビットレート周波数成分のパワーＰｂｒが最小となるように、すなわち可変増幅器（可変減衰器）１０の利得を最適な利得ＧＡとするように制御を行う。この制御は、以下のような制御アルゴリズムにより行われる。
【００２５】
制御回路６０は、可変増幅器（可変減衰器）１０の利得を制御するための制御電圧を生成するが、この制御電圧に図４Ｂ及び図４Ｃに示すように小振幅の信号を重畳して可変増幅器（可変減衰器）１０に出力する。すなわち、制御回路６０は、可変増幅器（可変減衰器）１０の利得をある利得（設定目標の利得）を中心として周期的に微小範囲で変化させる。なお、図４Ｂ及び図４Ｃにおいて、信号ＶＣＴＬが制御回路６０から可変増幅器（可変減衰器）１０に供給される電圧であり、図中破線が設定目標の利得である。
【００２６】
そして、制御回路６０は、小振幅の信号を制御電圧に重畳することにより可変増幅器（可変減衰器）１０の利得を周期的に微小変化させて得られた光信号ＳＯＵＴに係るビットレート周波数成分パワーＰｂｒを得て、そのビットレート周波数成分パワーＰｂｒの変化と信号ＶＣＴＬの変化とを比較する。
【００２７】
その結果、図４Ｂに示すように信号ＶＣＴＬとビットレート周波数成分パワーＰｂｒとが逆相の関係で変化する場合、すなわち可変増幅器（可変減衰器）１０の利得の増大時にビットレート周波数成分パワーＰｂｒが減少する場合には、制御回路６０は、可変増幅器（可変減衰器）１０の利得は図４Ａに示す範囲ＧＢ１にあると判断する。したがって、制御回路６０は、可変増幅器（可変減衰器）１０の利得が最適な利得ＧＡよりも小さいと判断し、利得を増大させるように可変増幅器（可変減衰器）１０に供給する制御電圧を変化させる。
【００２８】
一方、図４Ｃに示すように信号ＶＣＴＬとビットレート周波数成分パワーＰｂｒとが同相の関係で変化する場合、すなわち可変増幅器（可変減衰器）１０の利得の増大時にビットレート周波数成分パワーＰｂｒが増大する場合には、制御回路６０は、可変増幅器（可変減衰器）１０の利得は図４Ａに示す範囲ＧＢ２にあると判断する。したがって、制御回路６０は、可変増幅器（可変減衰器）１０の利得が最適な利得ＧＡよりも大きいと判断し、利得を減少させるように可変増幅器（可変減衰器）１０に供給する制御電圧を変化させる。
以上の動作を繰り返すことで、制御回路６０は、可変増幅器（可変減衰器）１０の利得を最適な利得ＧＡに収束させて保持することができる。
【００２９】
第１の実施形態によれば、光非線形素子２０より出力される再生後の光信号ＳＯＵＴを光検出器３０により光電変換して得られた電気信号ＳＯＵＴＡから、帯域通過フィルタ４０及びパワーモニタ５０によりビットレート周波数成分パワーＰｂｒを検出する。そして、この検出結果に応じて、具体的には検出したビットレート周波数成分パワーＰｂｒが最小となるように、制御回路６０は可変増幅器（可変減衰器）１０の利得制御を行い、光非線形素子２０への入力パワーが制御される。
【００３０】
これにより、入力又は出力される光信号のクロスポイントを直接的に測定するのではなく、簡便な方法で出力される光信号ＳＯＵＴの波形評価を行い可変増幅器（可変減衰器）１０の利得を適宜制御することで、良好な出力波形が得られるように光非線形素子２０への入力パワーを容易に設定することができる。したがって、小型かつ低コスト化が容易な方法で、入力される任意の光信号に対して良好な波形整形を行うことが可能な再生中継装置を提供することができる。
【００３１】
（第２の実施形態）
次に、本発明の第２の実施形態について説明する。
図５は、本発明の第２の実施形態による光伝送システムを適用した再生中継装置の構成例を示すブロック図である。この図５において、図１に示したブロック等と同一の機能を有するブロック等には同一の符号を付し、重複する説明は省略する。図５に示す第２の実施形態における再生中継装置は、ＲＺ（Return to Zero）形式の光信号に対応した再生中継装置である。
【００３２】
第２の実施形態における再生中継装置は、図５に示すように可変増幅器（可変減衰器）１０、光非線形素子２０、光検出器（ＰＤ）３０、帯域通過フィルタ（ＢＰＦ：バンドパスフィルタ）４１、低域通過フィルタ（ＬＰＦ：ロウパスフィルタ）４２、パワーモニタ５１、５２、及び制御回路７０を有する。第２の実施形態における再生中継装置は、入力信号として光信号ＳＩＮが入力され、その再生を行い波形整形した光信号ＳＯＵＴを出力信号として出力する。
【００３３】
帯域通過フィルタ４１及びパワーモニタ５１は、図１に示した帯域通過フィルタ４０及びパワーモニタ５０にそれぞれ対応する。
【００３４】
低域通過フィルタ４２は、光検出器３０での変換により得られた電気信号ＳＯＵＴＡから直流（ＤＣ）成分ＳＤＣを取り出す。言い換えれば、低域通過フィルタ４２は、光検出器３０からの電気信号中の直流成分ＳＤＣのみを通過させる。パワーモニタ５２は、低域通過フィルタ４２により取り出された直流成分ＳＤＣ、すなわち低域通過フィルタ４２を通過してきた信号のパワーＰＤＣを測定する。
【００３５】
光検出器３０、帯域通過フィルタ４１、低域通過フィルタ４２、及びパワーモニタ５１、５２は、本発明のパワー検出器を構成する。光検出器３０、帯域通過フィルタ４１、及びパワーモニタ５１からなる系により、光非線形素子２０からの出力信号に係るビットレート周波数成分パワーＰｂｒを測定することができ、光検出器３０、低域通過フィルタ４２、及びパワーモニタ５２からなる系により、光非線形素子２０からの出力信号に係る直流成分パワーＰＤＣを測定することができる。
【００３６】
制御回路７０は、上述したようにして光検出器３０、帯域通過フィルタ４１、低域通過フィルタ４２、及びパワーモニタ５１、５２により検出されたビットレート周波数成分パワーＰｂｒ及び直流成分パワーＰＤＣに基づいて、可変増幅器（可変減衰器）１０の利得制御を行う。
【００３７】
ここで、第２の実施形態における再生中継装置は、ＲＺ形式の光信号に対応するものであるため、第１の実施形態にようにクロスポイントの位置を制御する方法は適用できない。
【００３８】
第２の実施形態では、光非線形素子２０への最適な入力パワーは出力される光信号ＳＯＵＴのデューティ比が所望の値になるパワーであると考える。図６Ａに示すように出力される光信号ＳＯＵＴのデューティ比は、ビットレート周波数成分パワーＰｂｒと直流成分パワーＰＤＣとの比（Ｐｂｒ／ＰＤＣ）に応じて変化する。
【００３９】
第２の実施形態における制御回路７０は、出力される光信号ＳＯＵＴのデューティ比が所望の値であるか否かを、パワーモニタ５１、５２にて測定されたビットレート周波数成分パワーＰｂｒと直流成分パワーＰＤＣとの比（Ｐｂｒ／ＰＤＣ）を算出して判断する。これにより、制御回路７０は、出力される光信号ＳＯＵＴの波形評価を行って可変増幅器（可変減衰器）１０の利得制御を行う。
【００４０】
具体的には、図６Ｂに示すようにデューティ比に対応するパワー比（Ｐｂｒ／ＰＤＣ）は、可変増幅器（可変減衰器）１０の利得の単調増加関数である。そこで、制御回路７０は、パワーモニタ５１、５２にて測定されたビットレート周波数成分パワーＰｂｒと直流成分パワーＰＤＣとの比（Ｐｂｒ／ＰＤＣ）を算出し、所望のデューティ比を得るためのパワー比の値と比較する。
【００４１】
その比較結果に応じて、制御回路７０は、所望のデューティ比が得られるパワー比となるように可変増幅器（可変減衰器）１０の利得制御を行う。そして、制御回路７０は、測定されるビットレート周波数成分パワーＰｂｒと直流成分パワーＰＤＣとの比（Ｐｂｒ／ＰＤＣ）が所望の一定値を保持するように制御する。
【００４２】
第２の実施形態によれば、光非線形素子２０より出力される再生後の光信号ＳＯＵＴを光電変換して得られた電気信号ＳＯＵＴＡから、ビットレート周波数成分パワーＰｂｒ及び直流成分パワーＰＤＣを検出する。そして、この検出結果に応じて、具体的には検出結果に基づき算出されるパワー比（Ｐｂｒ／ＰＤＣ）が所望の一定値に保持されるように、制御回路７０は可変増幅器（可変減衰器）１０の利得制御を行い、光非線形素子２０への入力パワーが制御される。
【００４３】
これにより、入力又は出力される光信号を直接的に測定するのではなく、簡便な方法で出力される光信号ＳＯＵＴの波形評価を行い、良好な出力波形が得られるように光非線形素子２０への入力パワーを容易に設定することができる。したがって、小型かつ低コスト化が容易な方法で、入力される任意の光信号に対して良好な波形整形を行うことが可能な再生中継装置を提供することができる。
【００４４】
また、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
本発明の諸態様を付記として以下に示す。
【００４５】
（付記１）非線形の入出力特性を有し、入力される光信号の再生を行う光非線形素子と、
上記光非線形素子により再生された光信号を光電変換し、得られる電子信号から特定の周波数成分のパワーを検出するパワー検出器と、
上記パワー検出器による検出結果に応じて、上記光非線形素子に入力される光信号を増幅又は減衰する可変増幅器とを備えることを特徴とする光伝送システム。
（付記２）上記パワー検出器は、
上記光非線形素子により再生された光信号を電気信号に変換する光検出器と、
上記光検出器により得られた電気信号から上記特定の周波数成分を取り出すフィルタと、
上記フィルタにより取り出した上記特定の周波数成分のパワーを測定するパワー測定器とを備えることを特徴とする付記１記載の光伝送システム。
（付記３）上記パワー検出器は、上記入力される光信号のビットレート周波数成分のパワーを検出することを特徴とする付記１記載の光伝送システム。
（付記４）上記パワー検出器は、
上記光非線形素子により再生された光信号を電気信号に変換する光検出器と、
上記光検出器により得られた電気信号から上記ビットレート周波数成分を取り出す帯域通過フィルタと、
上記帯域通過フィルタにより取り出した上記ビットレート周波数成分のパワーを測定するパワー測定器とを備えることを特徴とする付記３記載の光伝送システム。
（付記５）上記パワー検出器による検出結果に基づいて、上記ビットレート周波数成分のパワーが極小となるように上記可変増幅器を制御する制御回路をさらに備えることを特徴とする付記３記載の光伝送システム。
（付記６）上記制御回路は、上記可変増幅器の利得を周期的に微小範囲で増減させ、上記利得の微小変化に伴う上記ビットレート周波数成分のパワーの変化に応じて上記可変増幅器の利得制御を行うことを特徴とする付記５記載の光伝送システム。
（付記７）上記利得の微小変化に伴って、上記ビットレート周波数成分のパワーが同相で変化する場合には上記可変増幅器の利得を増大させ、上記ビットレート周波数成分のパワーが逆相で変化する場合には上記可変増幅器の利得を減少させることを特徴とする付記６記載の光伝送システム。
（付記８）上記入力される光信号が、ＮＲＺ（Non Return to Zero）形式で変調された光信号であることを特徴とする付記３記載の光伝送システム。
（付記９）上記パワー検出器は、上記入力される光信号のビットレートに対応するビットレート周波数成分のパワー及び直流成分のパワーを検出することを特徴とする付記１記載の光伝送システム。
（付記１０）上記パワー検出器は、
上記光非線形素子により再生された光信号を電気信号に変換する光検出器と、
上記光検出器により得られた電気信号から上記ビットレート周波数成分を取り出す帯域通過フィルタと、
上記光検出器により得られた電気信号から上記直流成分を取り出す低域通過フィルタと、
上記帯域通過フィルタ及び低域通過フィルタにより取り出した上記ビットレート周波数成分のパワー及び直流成分のパワーをそれぞれ測定するパワー測定器とを備えることを特徴とする付記９記載の光伝送システム。
（付記１１）上記パワー検出器による検出結果に基づいて、上記ビットレート周波数成分のパワーと上記直流成分のパワーとの比を一定値に保持させるように上記可変増幅器を制御する制御回路をさらに備えることを特徴とする付記９記載の光伝送システム。
（付記１２）上記入力される光信号が、ＲＺ（Return to Zero）形式で変調された光信号であることを特徴とする付記９記載の光伝送システム。
【図面の簡単な説明】
【００４６】
【図１】本発明の第１の実施形態における再生中継装置の構成例を示す図である。
【図２】光非線形素子の入出力特性を示す図である。
【図３】光非線形素子の出力波形及び光電変換後の電気スペクトルを示す図である。
【図４Ａ】第１の実施形態における可変増幅器の利得とビットレート周波数成分のパワーとの関係を示す図である。
【図４Ｂ】第１の実施形態における制御原理を説明するための図である。
【図４Ｃ】第１の実施形態における制御原理を説明するための図である。
【図５】本発明の第２の実施形態における再生中継装置の構成例を示す図である。
【図６Ａ】第２の実施形態におけるパワー比に応じた出力波形を示す図である。
【図６Ｂ】第２の実施形態における可変増幅器の利得と、各周波数成分のパワー及びその比との関係を示す図である。
【図７】光非線形素子を用いた波形整形を説明するための図である。
【図８】光非線形素子における入力信号のパワーと出力波形との関係を示す図である。
【符号の説明】
【００４７】
１０  可変増幅器（可変減衰器）
２０  光非線形素子
３０  光検出器
４０、４１  帯域通過フィルタ
４２  低域通過フィルタ
５０、５１、５２  パワーモニタ
６０、７０  制御回路
【図１】
0004754388.tif 000002
【図２】
0004754388.tif 000003
【図３】
0004754388.tif 000004
【図４Ａ】
0004754388.tif 000005
【図４Ｂ】
0004754388.tif 000006
【図４Ｃ】
0004754388.tif 000007
【図５】
0004754388.tif 000008
【図６Ａ】
0004754388.tif 000009
【図６Ｂ】
0004754388.tif 000010
【図７】
0004754388.tif 000011
【図８】
0004754388.tif 000012